(57)【要約】【課題】高解像度処理を効率的に適用することで、画質向上を損なわずに画像処理に要する消費電力を低減すること。【解決手段】高解像度処理回路１１は複数フレームの対応する画素を用いて高解像度処理を行い、拡大処理回路１２は同一フレーム内の画素を用いて補間処理を行う。エッジ検出回路１３は入力する画像信号から画像のエッジ部を検出する。制御回路１４はエッジ検出結果に基づき、高解像度処理回路１１と拡大処理回路１２の一方を選択して処理された画像を出力する。そのとき制御回路１４は、エッジ部の画像に対しては高解像度処理回路１１を選択して拡大処理回路１２の動作を停止させ、エッジ部以外の画像に対しては拡大処理回路１２を選択して高解像度処理回路１１の動作を停止させる。【選択図】図１
2009123145.tif 000002
【特許請求の範囲】
【請求項１】
入力する画像を高解像度化する画像処理装置において、
複数フレームの対応する画素を用いて高解像度処理を行う高解像度処理回路と、
同一フレーム内の画素を用いて補間処理を行う拡大処理回路と、
入力する画像信号から画像のエッジ部を検出するエッジ検出回路と、
該エッジ検出回路の検出結果に基づき、上記高解像度処理回路と上記拡大処理回路の一方を選択して処理された画像を出力する制御回路とを備え、
該制御回路は、エッジ部の画像に対しては上記高解像度処理回路を選択して上記拡大処理回路の動作を停止させ、エッジ部以外の画像に対しては上記拡大処理回路を選択して上記高解像度処理回路の動作を停止させることを特徴とする画像処理装置。
【請求項２】
請求項１記載の画像処理装置において、
前記制御回路は、前記高解像度処理回路または前記拡大処理回路に対しクロック停止信号を出力して、それらの回路の動作を停止させることを特徴とする画像処理装置。
【請求項３】
請求項１または２記載の画像処理装置において、
前記エッジ検出回路は、入力する画像信号の輝度成分について隣接する画素間の差分値を求め、
前記制御回路は該差分値を予め設定した閾値と比較することでエッジ部か否かを判定することを特徴とする画像処理装置。
【請求項４】
請求項１または２記載の画像処理装置において、
前記エッジ検出回路は、入力する画像信号の動きベクトルについて隣接画素間の差分値を求め、
前記制御回路は該差分値を予め設定した閾値と比較することでエッジ部か否かを判定することを特徴とする画像処理装置。
【請求項５】
請求項３または４記載の画像処理装置において、
前記閾値は、入力する画像信号に記述されている値に基づいて設定することを特徴とする画像処理装置。
【請求項６】
請求項５記載の画像処理装置において、
前記閾値は、入力する画像信号に記述されている量子化パラメータに基づいて変更して設定することを特徴とする画像処理装置。
【請求項７】
請求項１または２記載の画像処理装置において、
前記エッジ検出回路は、複数の画素を含むブロック領域を単位にエッジ部を検出し、
前記制御回路は、該ブロック領域を単位に前記高解像度処理回路と前記拡大処理回路の選択を行うことを特徴とする画像処理装置。
【発明の詳細な説明】
【技術分野】
【０００１】
本発明は、入力した画像を高解像度化する画像処理装置に関し、特に画像処理に消費する電力を低減する技術に関する。
【背景技術】
【０００２】
近年の画像表示装置は、大画面テレビから携帯端末まで用途に合わせた各種の画面サイズで映像を表示する。この時、放送や通信、蓄積媒体などから入力された画像信号をそのまま表示するのではなく、表示する画面サイズに合わせて画像信号の解像度の変換処理が必要となる場合がある。高解像度処理では、水平・垂直方向の画素数を増加させるために次の技術が知られている。
【０００３】
特許文献１には、入力された複数の画像フレームを合成して１枚のフレームとすることにより、高解像度化しながら画素数を増やす技術が開示されている。その際、標本化位置の異なる複数組のデータを用いて、標本化によって生じた折り返し成分を打ち消し、画像信号の高周波成分を復元することが記載されている。なお、特許文献１に記載される高解像度処理は「超解像処理」とも呼ばれており、本明細書では他の技術と区別するために「超解像処理」と呼ぶことにする。
【０００４】
また特許文献２には、画像のエッジ部分を十分に強調可能な補間処理を行う技術が開示されている。この技術では、設定された高解像度化率と低解像度の画像における画素間の距離とに基づき補間画素を算出するための補間係数を生成するに際し、低解像度の画像における画素間の傾き情報を検出し、検出した傾き情報に基づき補間係数を補正するものである。
【０００５】
【特許文献１】特開平８−３３６０４６号公報
【特許文献２】特開平１１−１６８６２２号公報
【発明の開示】
【発明が解決しようとする課題】
【０００６】
特許文献１の技術では、画面の全ての領域に対して超解像処理を行っているため、画像がいかなる状態であっても超解像処理回路が常に動作している。そのため、画像処理中の消費電力は一定である。また特許文献２の技術でも、画面の全領域に対して補間係数の演算処理を行っているため、画像状態（すなわちエッジの有無）に依らず消費電力は一定となる。
【０００７】
このような画像処理は画質向上のための画素情報を用いた複雑な演算を含むため、単純な線形補間処理（単純拡大処理）と比較して処理回路の消費電力が増大する。解像度変換機能がテレビなどの画像表示装置に内蔵されていれば、画像処理のための消費電力はテレビ側で負担するのでさほど問題にはならない。しかしながら、例えば携帯端末にて解像度変換した画像をテレビへ伝送するような場合は、許容電力が制限されている携帯端末の電力消費を増大させることになり問題となる。従来技術では、画像状態に関わらず画面全体に対して常に高解像度処理を施すものであり、消費電力の増大に対する配慮が十分ではなかった。
【０００８】
本発明の目的は、高解像度処理を効率的に適用することで、画質向上を損なわずに画像処理に要する消費電力を低減することにある。
【課題を解決するための手段】
【０００９】
本発明は、入力する画像を高解像度化する画像処理装置において、複数フレームの対応する画素を用いて高解像度処理を行う高解像度処理回路と、同一フレーム内の画素を用いて補間処理を行う拡大処理回路と、入力する画像信号から画像のエッジ部を検出するエッジ検出回路と、エッジ検出回路の検出結果に基づき、高解像度処理回路と拡大処理回路の一方を選択して処理された画像を出力する制御回路とを備える。制御回路は、エッジ部の画像に対しては高解像度処理回路を選択して拡大処理回路の動作を停止させ、エッジ部以外の画像に対しては拡大処理回路を選択して高解像度処理回路の動作を停止させる。
【発明の効果】
【００１０】
本発明によれば、画質の差が目に付きやすいエッジ部分の画質を向上させ、かつ消費電力の低減を図ることができる。
【発明を実施するための最良の形態】
【００１１】
以下に説明する本発明の実施例に係る画像処理装置では、画像のエッジ検出結果に基づき高解像度処理（超解像処理）の動作を制御し、エッジ部分の画像領域のみ高解像度処理を行い、他の画像領域では単純な補間処理を行うことを特徴とする。
【実施例１】
【００１２】
図１は、本発明の第１の実施例に係る画像処理装置を示す図である。本実施例に係る画像処理装置は、放送波を受信し、画像の解像度を変換してテレビジョン受像機等に伝送する携帯端末に適用した場合を例とする。
【００１３】
入力信号１００は、放送波を受信した受信機からの動画像のフレーム列として入力される。入力信号１００は、高解像度処理回路１１と拡大処理回路１２、及びエッジ検出回路１３に送られる。高解像度処理回路１１では複数フレームの対応する画素を用いて高解像度処理（超解像処理）を行い、拡大処理回路１２では同一フレーム内の画素を用いて単純な補間処理を行うものであるが、これらの回路は択一的に動作する。高解像度処理回路１１で処理された高解像度画像１０１、または拡大処理回路１２で処理された拡大画像１０２は、セレクタ１８によって選択し出力画像１０３として出力される。
【００１４】
一方エッジ検出回路１３では、入力信号１００の画素間の輝度成分の差分、色差成分の差分のいずれか、もしくは両方の差分値により、各画素におけるエッジ度の指標となるエッジコスト値１０４を生成する。制御回路１４はエッジコスト値１０４に応じて、高解像度処理回路１１の処理を実行するか、拡大処理回路１２の処理を実行するかを判定する。本実施例では、エッジコスト値１０４が大きい画像領域では画質の差が目に付きやすいので、高解像度処理回路１１の処理を実行する。エッジコスト値１０４が小さい画像領域では画質の差は目に付きにくいので、拡大処理回路１２の処理に切り替えて実行する。なおこの判定では、エッジコスト値１０４を閾値設定回路１５にて設定された閾値１０５と比較する。
【００１５】
判定の結果、制御回路１４は、高解像度処理回路用クロック停止信号１０６、拡大処理回路用クロック停止信号１０７、画像選択信号１０８の３種類の制御信号を出力する。エッジコスト値１０４が閾値１０５より小さい場合には、拡大処理回路１２の処理を選択するために、高解像度処理回路用クロック停止信号１０６を出力して高解像度処理回路１１の動作を停止させる。また、エッジコスト値１０４が閾値１０５より大きい場合には、高解像度処理回路１１の処理を選択するために、拡大処理回路用クロック停止信号１０７を出力して拡大処理回路１２の動作を停止させる。いずれもクロック供給を停止することで、使用しない回路の動作を停止させることができる。画像選択信号１０８はセレクタ１８に対し、出力する画像１０３を選択する信号である。
【００１６】
また、拡大処理回路１２の出力１０２は、一旦遅延回路１６にてバッファリングする。これは高解像度処理回路１１との処理速度の違いを吸収するためのものである。同様に画像選択信号１０８も、処理速度調整のため遅延回路１７にてバッファリングする。これらの遅延させた信号により、出力画像１０３の選択と出力のタイミングは正常に維持される。なお、拡大処理回路１２を停止する場合、その後段にある遅延回路１６も同時に停止させるのが望ましい。
【００１７】
図２は、図１の高解像度処理回路１１の行う超解像処理を説明する図である。２つの入力部には、複数枚のフレーム（ここでは２枚のフレーム＃１，＃２）の画像信号２０１，２０４が入力する。入力された２枚のフレーム＃１，＃２は、水平解像度変換部２１と垂直解像度変換部２５に入力される。水平解像度変換部２１では、２枚のフレーム＃１，＃２を用いて超解像処理を行い、水平方向の画素数を増加させたフレーム２０２を生成する。垂直補間部２２では、垂直アップレート２３と画素補間２４により垂直画素を補間したフレーム２０３を生成する。同様に垂直解像度変換部２５では、２枚のフレーム＃１，＃２を用いて超解像処理を行い、垂直方向の画素数を増加させたフレーム２０５を生成する。水平補間部２６では、水平アップレート２７と画素補間２８により水平画素を補間したフレーム２０６を生成する。混合部２９では上記の２つのフレーム２０３，２０６を混合して、高解像度画像１０１を出力する。なお、上記水平解像度変換部２１と垂直解像度変換部２５の行う超解像処理は、例えば特許文献１に記載される技術に基づくものである。
【００１８】
一方、図１の拡大処理回路１２では、処理対象となる１枚のフレーム内の画像信号を用いて画素を補間するものである。すなわち、フレーム内の隣接する画素間における補間画素を生成するための補間係数を算出し、この補間係数を用いて補間処理を行う。この補間処理としては、補間係数を隣接する各画素とその間に挿入される補間画素との距離に応じて一律に決定する線形補間処理とする。この場合、フレーム内の線形演算処理であるので、前記超解像処理に比較し、簡単な回路で高速に処理することができる。あるいは、２次または３次の多項式を用いる補間処理としてもよい。いずれも、拡大処理回路１２の消費電力は高解像度処理回路１１の消費電力よりも大幅に小さくなる。
【００１９】
このように本実施例の画像処理装置では、エッジ検出回路１３を設け、画像のエッジ部分とそうでない部分を判定し、エッジ部分の領域では高解像度処理回路１１により超解像処理を施し、高画質化した鮮明な画像を出力する。一方、エッジ以外の領域では高解像度処理回路１１の動作を停止し、拡大処理回路１２による補間処理を施した拡大画像を出力する。これにより、画質の差が目に付きやすい部分のみに高解像度処理を施すことで、画質向上を損なわずに消費電力を低減することが可能となる。
【００２０】
次に、本実施例におけるエッジ検出とそれに基づく画像処理回路の選択について説明する。
図３は、図１のエッジ検出回路１３の動作の一例を示す図である。例えば、４×４画素の入力信号１００が入力されたとする。この入力信号１００では、白丸と黒丸で示す画素の境界（破線３０１で示す）がエッジ部に相当する。エッジ検出回路１３は、入力信号１００の各画素について、隣接画素との輝度成分の差分、色差成分の差分のいずれか、もしくは両方の差分値を計算し、エッジコスト値１０４として出力する。ここでは隣接する周囲８画素との輝度成分の差分値をコスト値１０４とし、相対値で示す。当然のことながら、エッジ部３０１の近傍の画素では、大きなコスト値を示す。これより、エッジコスト値１０４を用いてエッジ度の強さを評価することができる。
【００２１】
図４は、図１の制御回路１４の動作の一例を示す図である。ここでは、図３で算出されたエッジコスト値１０４が入力され、また閾値１０５として、例えばコスト値＝１０が設定されているとする。その場合、算出されたコスト値が閾値＝１０を超える画素はエッジ領域と判定する。図では、領域３０２の内部がエッジ領域となる。制御回路１４は判定したエッジ領域に応じて、高解像度処理回路用クロック停止信号１０６、拡大処理回路用クロック停止信号１０７、及び画像選択信号１０８を出力する。ここでのクロック停止信号１０６，１０７は、クロックを停止する場合は“０”、クロックを供給する場合は“１”で示す。また、画像選択信号１０８は、高解像度画像１０１を選択する場合は“１”、拡大画像１０２を選択する場合は“０”で示す。このように、高解像度処理回路用クロック停止信号１０６と拡大処理回路用クロック停止信号１０７とは互いに排他的であり、動作するのはいずれか一方のみとなる。
【００２２】
本実施例では、高解像度処理回路１１及び拡大処理回路１２の動作を停止させるために各回路へのクロック供給を停止することで制御したが、これ以外に、各回路の電源供給を停止するなどの方法でも可能である。
【００２３】
次に、エッジ領域の判定に用いるエッジコスト値１０４の閾値１０５の設定について説明する。閾値１０５は閾値設定回路１５により設定するが、固定値にするだけでなく、状況により可変値とすることもできる。可変とする場合は、ソフトウェア制御により変更するものであるが、以下の方法がある。
【００２４】
図５は、入力信号に記述された閾値１０５を使用する場合を示す。入力信号であるビデオストリームは映像・音声信号を圧縮した符号化情報であり、これを復号化することで映像信号や音声信号を再生する。ここでは、映像信号に適した高解像度画像と拡大画像の切り替えのための閾値の情報を、伝送するビデオストリーム中に予め埋め込んでおく。そして、再生時にその閾値を用いて映像に合った切り替えを行うことで、電力効率の良い処理を行うことができる。
【００２５】
具体的には、（ａ）のようなストリーム構造において、ビデオストリーム中に閾値を示すデータが存在するかを示すフラグ“ｔｈｒｅｓｈｏｌｄ＿ｔｙｐｅ”４０１を設ける。このフラグが真であれば、（ｂ）のビデオストリームにはｔｈｒｅｓｈｏｌｄ値４０２が記述されていることになる。閾値設定回路１５はビデオストリームからフラグを判別し、閾値が存在する場合はその値（ｔｈｒｅｓｈｏｌｄ値）４０２を抽出して制御回路１４に供給すればよい。
【００２６】
図６は、入力信号に記述された量子化パラメータ４０３を使用する場合を示す。量子化パラメータ４０３は映像信号を量子化する際の量子化ステップの大きさを示す値で、ビデオストリームに記述されている。そこで、量子化パラメータ４０３を閾値変更回路３１へ入力し、閾値変更回路３１ではこれに適した閾値１０５に変換する。量子化パラメータ４０３の値が小さい場合、量子化された画像は原画像に近く滑らかであり、エッジ部においても鮮明となる。よって、高画質化するための閾値を大きく設定するのがよい。逆に、量子化パラメータ４０３の値が大きい場合は、量子化された画像は原画像からの相違（劣化）が大きくなる。よって、エッジ部の情報は失われ易くなるため、閾値を小さくしエッジ部の高画質化を積極的に行うのがよい。このように閾値変更回路３１は、量子化パラメータ４０３に応じて閾値１０５を決定して制御回路１４に入力し、高解像度画像１０１と拡大画像１０２の切り替えを行う。
【００２７】
図７は、出力画像を表示する表示装置の画面サイズに応じて閾値１０５を切り替える場合を示す。表示装置の機能により、例えばＷＶＧＡ（Ｗｉｄｅ  Ｖｉｄｅｏ  Ｇｒａｐｈｉｃｓ  Ａｒｒａｙ）用閾値４１１、ＳＤ（Ｓｔａｎｄａｒｄ  Ｄｅｆｉｎｉｔｉｏｎ）用閾値４１２、ＨＤ（Ｈｉｇｈ  Ｄｅｆｉｎｉｔｉｏｎ）用閾値４１３の３種類から選択する。これらの閾値の大小関係は、ＨＤ用閾値＜ＷＶＧＡ用閾値＜ＳＤ用閾値として、高画質化が要求されるほど閾値を小さくして高解像度処理を積極的に行うようにする。そして使用する閾値は、表示モード信号４２０をセレクタ３２に入力して、いずれか１つの閾値を選択する。なお、閾値の選択数はこれに限らない。選択された閾値１０５は制御回路１４へ設定され、高解像度画像１０１と拡大画像１０２の切り替えを行う。
【００２８】
以上のように閾値を可変とすることで、高解像度画像１０１と拡大画像１０２の切り替えを状況に応じて適応的に行い、より効率的に消費電力の低減を図ることができる。その効果は、例えば、常に高解像度処理回路を動作させる従来の方式に比較し、消費電力を２０〜３０％ほど低減することができる。
【実施例２】
【００２９】
図８は、本発明の第２の実施例に係る画像処理装置を示す図である。本実施例では、入力信号から求めた動きベクトルを用いて画像内のエッジ部の判定を行う構成としている。
【００３０】
入力信号１００は、高解像度処理回路１１と拡大処理回路１２に送られる。高解像度処理回路１１と拡大処理回路１２の構成と動作は実施例１と同様である。高解像度処理回路１１は、水平解像度変換部２１、垂直補間部２２、垂直解像度変換部２５、水平補間部２６、混合部２９にて構成される。入力された複数のフレーム（ここでは２枚のフレーム）は、水平解像度変換部２１と垂直解像度変換部２５で超解像処理される。これらの水平、垂直解像度変換部２１，２５では、内蔵する動き補償部４１，４２により各画素の動きベクトルを計算している。計算した水平解像度動きベクトル１１１と垂直解像度動きベクトル１１２の情報は、動きベクトル（ＭＶ）差分回路４３へ送られる。ＭＶ差分回路４３では、入力された動きベクトルについて隣接画素との動きベクトルの差分を計算し、エッジコスト値１０４として制御回路１４に入力する。制御回路１４では、エッジコスト値１０４を閾値設定回路１５にて設定された閾値１０５と比較して、エッジ判定を行う。
【００３１】
判定の結果、制御回路１４は、高解像度処理回路用クロック停止信号１０６、拡大処理回路用クロック停止信号１０７、画像選択信号１０８を出力する。エッジコスト値１０４が閾値１０５より小さい場合には、拡大処理回路１２の処理を選択するために、高解像度処理回路用クロック停止信号１０６にて高解像度処理回路１１の垂直補間部２２、水平補間部２６、混合部２９へのクロック供給を停止し、これらの動作を停止させる。また、エッジコスト値１０４が閾値１０５より大きい場合には、高解像度処理回路１１の処理を選択するために、拡大処理回路用クロック停止信号１０７にて拡大処理回路１２の動作を停止させる。画像選択信号１０８はセレクタ１８に対し、出力する画像１０３を選択する信号を送る。遅延回路１６，１７は、高解像度処理回路１１と拡大処理回路１２の処理速度の違いを吸収する。
【００３２】
本実施例では、高解像度処理回路１１に内蔵する動き補償部４１，４２から各画素の動きベクトルを取得したが、別途動きベクトル検出部を設けても良い。その場合は、高解像度処理回路用クロック停止信号１０６により高解像度処理回路１１全体のクロック供給を停止し、その動作を停止させることができる。
【００３３】
図９は、図８の動きベクトル差分回路４３の動作を説明する図である。ここでは、画素の動きベクトルからエッジ部を検出する。各画素ｐ０、ｐ１、ｐ２、・・・における動きベクトルをＭＶ０、ＭＶ１，ＭＶ２、・・・とする。動きベクトル差分回路４３は、隣接画素間の動きベクトルの絶対値差分値ＭＶｄ０、ＭＶｄ１，・・・を計算する。もし、画素ｐ０、ｐ１、ｐ２が同一移動物体（または背景）内の画素で、画素ｐ３、ｐ４、ｐ５が他の同一移動物体（背景）内の画素であれば、それらの物体（背景）内では動きベクトルが均一になるので動きベクトルの差分値は小さい（ほぼ０となる）。一方、両者の境界に位置する画素（ここではｐ２とｐ３）の動きベクトルの差分値ＭＶｄ２は大きくなる。制御回路１４ではこの差分値を閾値と比較し、閾値より大きい画素ｐ２とｐ３の位置（領域３１１で示す）が移動物体の境界（エッジ部）であると判定する。
【００３４】
このように、動きベクトルを利用することで移動する物体の輪郭をエッジ部として識別することができる。この場合、動き物体を抽出してその輪郭部分を優先的に高解像度化することで、人間の視覚特性を考慮したより効果的な高画質化を行い、かつ消費電力の低減を図ることができる。
【実施例３】
【００３５】
前記第１、第２の実施例では、エッジ部の判定を画素単位で行い、判定結果に基づき、高解像度処理と単純拡大処理とを画素単位で切り替えるものであった。これに対し本実施例では、複数の画素を含む単位領域（ブロック領域）を設定し、ブロック領域単位でエッジ部の判定と画像処理の切り替えを行うものである。本実施例は、図１のエッジ検出回路１３の出力側にブロック化回路５１を追加した構成とする。
【００３６】
図１０は、ブロック領域単位でエッジ部の判定を行う方法を示す図である。この例では、横２画素、縦２画素を処理単位（ブロック領域）とした場合である。まず図３と同様に、エッジ検出回路１３により、画素単位で周辺画素との輝度成分の差分値を計算する。次に新たに追加したブロック化回路５１により、各ブロック領域に含まれる４個の画素の差分値を合計して、ブロック毎のエッジコスト合計値１０９を求める。
【００３７】
図１１は、ブロック領域単位で画像処理の切り替えを行う方法を示す図である。図１０のブロック化回路５１にて求めたエッジコスト合計値１０９は補正情報回路１４へ入力される。補正情報回路１４では、エッジコスト合計値１０９を閾値１０５と比較し、制御信号を出力する。この場合の閾値１０５は、例えば画素数に比例させた値、１０×４＝４０とする。エッジコスト合計値１０９が閾値＝４０以下のブロックに対しては高解像度処理回路１１のクロックを停止させるための高解像度処理部クロック停止信号１０６を出力し、閾値＝４０以上のブロックに対しては拡大処理回路１２のクロックを停止させるための拡大処理回路用クロック停止信号１０７を出力する。また、セレクタ１８を切り替えるための画像選択信号１０８も同時に出力する。
【００３８】
本実施例ではブロック領域のサイズを２×２画素としたが、これに限らず例えば１６×１６画素など適宜設定することができる。また本実施例は、前記第２の実施例の動きベクトルによるエッジ判定の場合にも適用できる。
【００３９】
本実施例によれば、高解像度画像１０１と拡大画像１０２の切り替えをブロック単位で行うので、画素単位で処理する場合と比較し、より効率的な処理が可能になる。
【図面の簡単な説明】
【００４０】
【図１】本発明の第１の実施例に係る画像処理装置を示す図。
【図２】高解像度処理回路１１の行う超解像処理を説明する図。
【図３】エッジ検出回路１３の動作の一例を示す図。
【図４】制御回路１４の動作の一例を示す図
【図５】入力信号に記述された閾値を使用する場合を示す図。
【図６】入力信号に記述された量子化パラメータを使用する場合を示す図。
【図７】表示装置の画面サイズに応じて閾値を切り替える場合を示す図。
【図８】本発明の第２の実施例に係る画像処理装置を示す図。
【図９】動きベクトル差分回路４３の動作を説明する図。
【図１０】ブロック領域単位でエッジ部の判定を行う方法を示す図。
【図１１】ブロック領域単位で画像処理の切り替えを行う方法を示す図。
【符号の説明】
【００４１】
１１…高解像度処理回路
１２…拡大処理回路
１３…エッジ検出回路
１４…制御回路
１５…閾値設定回路
１６，１７…遅延回路
１８…セレクタ
２１…水平解像度変換部
２５…垂直解像度変換部
４３…動きベクトル（ＭＶ）差分回路
４１，４２…動き補償部
５１…ブロック化回路
１０４…エッジコスト値
１０６…高解像度処理回路用クロック停止信号
１０７…拡大処理回路用クロック停止信号
１０８…画像選択信号。
【図１】
2009123145.tif 000003
【図２】
2009123145.tif 000004
【図３】
2009123145.tif 000005
【図４】
2009123145.tif 000006
【図５】
2009123145.tif 000007
【図６】
2009123145.tif 000008
【図７】
2009123145.tif 000009
【図８】
2009123145.tif 000010
【図９】
2009123145.tif 000011
【図１０】
2009123145.tif 000012
【図１１】
2009123145.tif 000013